(57)【要約】【課題】篩網上の小麦粉などの粉粒体を効率良く篩い分けることができ、かつ篩網の目詰まりの発生を抑制することができる篩器具、並びに該篩器具を備えた篩装置を提供する。【解決手段】篩網１３上で振動され、篩網１３上の粉粒体を篩い分けるのに用いられる篩器具であって、枠状部材２と、枠状部材２の内側に設けられ、渦巻状に巻回した形状を有し、一端３ａが枠状部材２に固定されており、かつ他端３ｂが自由端とされている渦巻状部材３とを備える篩器具１、並びに該篩器具１と、篩網１３及び筒状部材１４を有する篩１２とを備える篩装置１１。【選択図】図２
2008221137.tif 000002
【特許請求の範囲】
【請求項１】
篩網上で振動され、前記篩網上の粉粒体を篩い分けるのに用いられる篩器具であって、
枠状部材と、
前記枠状部材の内側に設けられ、渦巻状に巻回した形状を有し、一端が前記枠状部材に固定されており、かつ他端が自由端とされている渦巻状部材とを備えることを特徴とする、篩器具。
【請求項２】
前記枠状部材に直接または間接に連結された把持部材をさらに備えることを特徴とする、請求項１に記載の篩器具。
【請求項３】
前記枠状部材に取付けられており、かつ前記枠状部材の外周面から外側に向かって延びるブラシをさらに備える、請求項１または２に記載の篩器具。
【請求項４】
請求項１〜３のいずれか１項に記載の篩器具と、
筒状部材と、前記筒状部材に外周縁が固定された篩網とを有する篩とを備えることを特徴とする、篩装置。
【請求項５】
前記筒状部材の上端が前記篩網よりも上方に位置しており、前記筒状部材の側壁が、上方に向かうにつれて内側に向かって傾斜されている、請求項４に記載の篩装置。
【発明の詳細な説明】
【技術分野】
【０００１】
本発明は、篩網で小麦粉等の粉粒体を篩い分ける際に用いられる篩器具であって、より詳細には、篩網上で振動することにより、篩網上の粉粒体を拡散させ、篩網上の粉粒体を篩い分けるのに用いられる篩器具、及び該篩器具を備えた篩装置に関する。
【背景技術】
【０００２】
小麦粉を用いてケーキを製造する場合には、塊状となった小麦粉や、比較的粒の大きな小麦粉を除去する必要がある。このような小麦粉を除去するために、小麦粉が篩を用いて篩い分けられている。
【０００３】
小麦粉などの粉体の篩い分けに際しては、篩網上に粉体を配置し、篩網を振動させる方法が広く行われている。篩い分けの際には、粉体によって篩網の目詰まりが生じることがある。そこで、篩網の目詰まりを防止するための種々の検討がなされてきている。
【０００４】
下記の特許文献１には、上記目詰まりを防止する手段を備えた篩の一例として、篩網上において、篩の篩網の中心またはその近傍を挟む左右２点の位置に１本のワイヤーロープを弛みつけて設け、該ワイヤーロープに複数の耐摩耗性の弾性体が移動可能に取付けられた篩が開示されている。
【０００５】
特許文献１では、篩を上下振動あるいは旋回振動させたときに、ワイヤーロープが篩網上を屈曲変形しながら移動する。また、ワイヤーロープに取付けられた弾性体が、篩網上を旋回しながら、飛び跳ねて移動する。よって、篩網に詰まった粉体を除去することが可能とされている。
【特許文献１】特開平９−２３４４２５号公報
【発明の開示】
【発明が解決しようとする課題】
【０００６】
特許文献１では、弾性体が、篩網上を旋回しながら、飛び跳ねて移動するので、粉体による篩網の目詰まりの発生を抑制することができる。
【０００７】
しかしながら、篩網上に多くの粉体を配置した場合などには、粉体によって弾性体の移動が阻害されることがあった。弾性体の移動が阻害されると、篩網の目詰まりが生じがちであった。
【０００８】
さらに、特許文献１の篩では、弾性体が篩網上を充分に旋回しないことがあり、粉体を効率よく篩い分けることができないことがあった。
【０００９】
本発明の目的は、上述した従来技術の現状に鑑み、篩網上の小麦粉などの粉粒体を効率良く篩い分けることができ、かつ篩網の目詰まりの発生を抑制することができる篩器具、及び該篩器具を備えた篩装置を提供することにある。
【課題を解決するための手段】
【００１０】
本発明は、篩網上で振動され、前記篩網上の粉粒体を篩い分けるのに用いられる篩器具であって、枠状部材と、前記枠状部材の内側に設けられ、渦巻状に巻回した形状を有し、一端が前記枠状部材に固定されており、かつ他端が自由端とされている渦巻状部材とを備えることを特徴とする。
【００１１】
本発明のある特定の局面では、篩器具は、前記枠状部材に直接または間接に連結された把持部材をさらに備えている。
【００１２】
本発明の他の特定の局面では、篩器具は、前記枠状部材に取付けられており、かつ前記枠状部材の外周面から外側に向かって延びるブラシをさらに備えている。
【００１３】
本発明に係る篩装置は、本発明に従って構成された篩器具と、筒状部材と、前記筒状部材に外周縁が固定された篩網とを有する篩とを備えることを特徴とする。
【００１４】
本発明に係る篩装置のある特定の局面では、前記筒状部材の上端が前記篩網よりも上方に位置しており、前記筒状部材の側壁が、上方に向かうにつれて内側に向かって傾斜されている。
【発明の効果】
【００１５】
本発明に係る篩器具では、枠状部材と、枠状部材の内側に設けられ、渦巻状に巻回した形状を有し、一端が枠状部材に固定されており、かつ他端が自由端とされている渦巻状部材とを備えているので、篩網上で振動した場合に、篩器具と小麦粉などの粉粒体との接触面積を極めて大きくすることができる。よって、小麦粉などの粉粒体が効果的に拡散されるので、粉粒体を効率良く篩い分けることができ、篩網の目詰まりの発生を抑制することができる。
【００１６】
枠状部材に直接または間接に連結された把持部材をさらに備える場合には、把持部材を手指等で把持して、篩器具を容易に振動させることができる。
【００１７】
枠状部材に取付けられており、かつ枠状部材の外周面から外側に向かって延びるブラシをさらに備えている場合には、篩網の外周縁近傍に粉粒体が寄り集まったり、篩網を囲む筒状部材の内周壁面に粉粒体が付着した際などに、該粉粒体を容易に拡散させることができる。
【００１８】
本発明に係る篩装置は、本発明に従って構成された篩器具と、筒状部材と、筒状部材に外周縁が固定された篩網とを有する篩とを備えているので、篩網上で篩器具を振動したときに、粉粒体を効率良く篩い分けることができ、篩網の目詰まりの発生を抑制することができる。
【００１９】
筒状部材の上端が篩網よりも上方に位置しており、筒状部材の側壁が、上方に向かうにつれて内側に向かって傾斜されている場合には、筒状部材の内周壁面への粉粒体の付着を抑制することができる。
【発明を実施するための最良の形態】
【００２０】
以下、図面を参照しつつ本発明の具体的な実施形態を説明することにより、本発明を明らかにする。
【００２１】
図１〜３を用いて、本発明の一実施形態に係る篩器具、及び該篩器具を備えた篩装置を説明する。
【００２２】
図１は、本発明の一実施形態に係る篩器具を示す斜視図である。
【００２３】
図１に示すように、篩器具１は、枠状部材２と、渦巻状に巻回した形状を有する渦巻状部材３とを備えている。枠状部材２は、円環状の形状を有する。渦巻状部材３は、長尺状の板状体からなり、該板状体が渦巻状に巻回されて構成されている。枠状部材２及び渦巻状部材３は特に限定されないが、通常金属からなる。
【００２４】
渦巻状部材３の一端３ａは、枠状部材２に固定されており、かつ他端３ｂは自由端とされている。すなわち、渦巻状部材３は長尺状の板状体からなるが、外周に位置している端部３ａは枠状部材２の内周面２ａに固定されており、他方、内周に位置している端部３ｂは固定されていない。渦巻状部材３の一端３ａは、枠状部材２の外周面２ｂに固定されていてもよい。篩器具１では、枠状部材２と渦巻状部材３とは、異なる２つの部材を用いて構成されているが、１つの部材を用いて一体的に構成されていてもよい。
【００２５】
渦巻状部材３は弾性を有する。後に詳述するが、渦巻状部材３を略水平にして篩器具１を振動したときに、渦巻状部材３は、枠状部材２に固定された一端３ａから自由端である他端３ｂにかけて、下方に向かって延び得るように構成されている。さらに、渦巻状部材３は、一端３ａから他端３ｂにかけて上方に向かって延び得るように構成されている。すなわち、渦巻状部材３は、一端３ａから他端３ｂにかけて上下方向に向かって延び得るように構成されている。渦巻状部材３は、比較的重く形成され、重力等により、一端３ａから他端３ｂにかけて下方に延び得るよう構成されていてもよい。
【００２６】
篩器具１は、枠状部材２に間接に連結された把持部材４を備えている。把持部材４は、篩器具１を容易に揺り動かし得るように、手指等により把持される部分である。把持部材４は、枠状部材２の内周面２ａに固定された棒状の連結部材５を介して、間接に枠状部材２に連結されている。把持部材４は、連結部材５を介さずに、直接に枠状部材２に連結されていてもよい。
【００２７】
連結部材５は、枠状部材２の内周面２ａから上方に向かって延ばされ、さらに側方に延ばされ、把持部材４に固定されている。よって、枠状部材２から距離を隔てた位置において、あるいは枠状部材２よりも上方において、篩器具１の把持部材４を手指等により容易に把持することができる。よって、後述する篩網上で、篩器具１を容易に振動することができる。
【００２８】
上記篩器具１は、篩網上で振動され、篩網上の小麦粉などの粉粒体を篩い分けるのに用いられる。
【００２９】
図２に、本発明の一実施形態に係る篩器具１を備えた篩装置１１を斜視図で示す。
【００３０】
図２に示すように、篩器具１を用いて粉粒体を篩い分ける際には、特に限定されないが、例えば、篩１２と、篩１２で篩い分けられた粉粒体を収容するための容器２１とが用いられる。
【００３１】
上記篩１２は、筒状部材１４と、筒状部材１４に外周縁１３ａが固定された篩網１３とを有する。
【００３２】
筒状部材１４は、円筒状の形状を有する。筒状部材１４の上端１４ｂは、側壁を形成するように、篩網１３よりも上方に位置している。筒状部材１４の下端１４ｃは、側壁を形成するように、篩網１３よりも下方に位置している。篩網１３は、筒状部材１４の内周面１４ａに、環状の固定リング１５ａ，１５ｂを用いて固定されている。環状の固定リング１５ａ，１５ｂにより、篩網１３の外周縁１３ａが挟持されている。
【００３３】
筒状部材１４は円筒状の形状を有するが、その径は、篩器具１の枠状部材２の径よりも大きくされている。従って、筒状部材１４内において、篩網１３上に篩器具１を配置することができる。筒状部材１４の外周面には、環状突部１４ｄが設けられている。環状突部１４ｄは、後述する容器２１に篩１２を固定するために設けられている。
【００３４】
上記容器２１は、篩１２で篩い分けられた粉粒体を収容するための容器である。容器２１は、上端２１ａが開口している。容器２１の上端２１ａには、粉粒体を容易に取り出し得るように、先細りした嘴部２１ｂが設けられている。
【００３５】
容器２１の開口径は、環状突部１４ｄ部分を除く筒状部材１４の径とほぼ等しいか、もしくはわずかに大きくされている。また、容器２１の開口径は、環状突部１４ｄ部分の筒状部材１４の径よりもわずかに小さくされている。よって、篩１２を容器２１に挿入することができ、かつ環状突部１４ｄを容器２１の上端２１ａに接触させて、篩１２を容器２１に固定することができる。
【００３６】
図３に示すように、粉粒体の篩い分けに際しては、篩１２を容器２１に挿入し、固定する。また、篩１２の篩網１３上に、粉粒体２５を配置する。さらに、篩器具１の把持部材４を把持し、篩器具１を移動し、篩網１３上に篩器具１を配置する。粉粒体２５としては特に限定されないが、小麦粉などが挙げられる。
【００３７】
しかる後、篩器具１を振動する。例えば、図３に示すように、篩器具１を左右あるいは上下に振動する。これにより、粉粒体２５が、渦巻状部材３に接触しつつ、拡散され、篩い分けられる。
【００３８】
本実施形態では、篩器具１は渦巻状部材３を備えているので、粉粒体２５と渦巻状部材３との接触面積が極めて大きくされている。よって、粉粒体２５は効果的に拡散される。従って、粉粒体２５を効率良く篩い分けることができ、篩網１３の目詰まりの発生を抑制することができる。
【００３９】
さらに、篩器具１では、渦巻状部材３は弾性を有するので、篩器具１を振動したときに、渦巻状部材３は大きく振動する。すなわち、図３に示すように、篩器具１をわずかに振動させることにより、渦巻状部材３を大きく振動させることができる。よって、粉粒体２５をより一層効率良く篩い分けることができ、篩網１３の目詰まりの発生をより一層抑制することができる。
【００４０】
ところで、図４に示すように、篩い分けに際しては、篩網１３が撓むことがある。例えば、篩網１３の比較的柔軟であったり、あるいは篩網１３上に多くの粉粒体２５を配置した場合などには、篩網１３が撓むことがある。
【００４１】
本実施形態では、図４に示すように、渦巻状部材３を略水平にして篩器具１を振動したときに、渦巻状部材３が、一端３ａから他端３ｂにかけて下方に向かって延び得るように構成されているので、篩網１３が撓んでも、渦巻状部材３が、撓んだ篩網１３の上面に接触するように、あるいはその近傍に至るように篩器具１を振動させることができる。よって、篩網１３が撓んだとしても、粉粒体２５を効率良く篩い分けることができ、篩網１３の目詰まりの発生を抑制することができる。
【００４２】
また、粉粒体の篩い分けに際しては、撓みが防止された篩も広く用いられている。例えば、図６に示すように、篩網１３の下面に接するか、もしくは近接した位置に、撓みを防止するための支持棒４２が取付けられた篩４１が知られている。このような篩４１を用いた場合には、渦巻状部材３は、一端３ａから他端３ｂにかけて下方に向かって延び得るように構成されている必要は必ずしもない。しかしながら、このような篩４１では、篩網１３と支持棒４２との間に、粉粒体２５が目詰まりすることがあった。
【００４３】
篩器具１では、渦巻状部材３が、一端３ａから他端３ｂにかけて下方に向かって延び得るように構成されているので、篩網１３が撓んでも、粉粒体２５を充分に拡散させることができる。よって、篩器具１を用いる場合には、粉粒体２５の目詰まりが生じ易い撓みが防止された篩４１を用いる必要がなく、撓みが生じ易い篩１２を用いることができる。よって、篩器具１は汎用性にも優れている。もっとも、篩器具１は、撓みが防止された篩４１と組合せて用いられてもよい。
【００４４】
次に、図５を用いて、本発明の他の実施形態に係る篩器具、及び該篩器具を備えた篩装置を説明する。
【００４５】
図５に示す篩装置３１は、篩器具の枠状部材の外周面にブラシが取付けられていること、及び篩の筒状部材の形状とが異なることを除いては、図２に示した篩装置１１と同様に構成されている。同様に構成されているところは、同一の符号を付してその説明を省略する。
【００４６】
図５に示すように、篩装置３１は、篩器具３２と、篩３３と、容器２１とを備えている。
【００４７】
上記篩器具３２は、枠状部材２の外周面２ｂに取付けられており、枠状部材２の外周面２ｂから外側に向かって延びるブラシ３５を備えている。ブラシ３５は、枠状部材２の外周面２ｂから外側に向かって直線状に延ばされた形状を有する。もっとも、ブラシ３５の形状は特に限定されるものではない。
【００４８】
上記篩３３は、内周面３６ａに篩い網１３が固定された筒状部材３６を備えている。筒状部材３６の外周面には、環状突部３６ｄが設けられている。筒状部材３６の上端３６ｂは、篩網１３よりも上方に位置しており、篩網１３よりも上方に第１の側壁３６ｅが形成されている。筒状部材３６の下端６ｃは、篩網１３よりも下方に位置しており、篩網１３よりも下方に第２の側壁３６ｆが形成されている。篩３３では、篩網１３よりも上方の第１の側壁３６ｅは、上方に向かうにつれて内側に向かって傾斜されている。すなわち、筒状部材３６は、内側に向かって傾斜した傾斜部分を有する。
【００４９】
第１の側壁３６ｅは特に限定されないが、５〜４５°内側に向かって傾斜していることが好ましい。傾斜角度は、より好ましくは１０〜４０°であり、最も好ましくは３０°である。
【００５０】
篩装置３１では、枠状部材２の外周面２ｂにブラシ３５が取り付けられているので、篩網１３の外周縁１３ａ近傍に粉粒体２５が寄り集まったり、筒状部材３６の内周壁面３６ａに粉粒体が付着した場合などに、該粉粒体２５を効果的に拡散させることができる。
【００５１】
また、筒状部材３６が、上方に向かうにつれて内側に向かって傾斜された側壁３６ｅを有するので、筒状部材３６の内周壁面３６ａへの粉粒体２５の付着を抑制することができる。よって、粉粒体２５をより一層効率よく篩い分けることができる。
【図面の簡単な説明】
【００５２】
【図１】本発明の一実施形態に係る篩器具を示す斜視図。
【図２】本発明の一実施形態に係る篩器具、及び該篩器具を備えた篩装置を示す斜視図。
【図３】本発明の一実施形態に係る篩器具を用いて、粉粒体を篩い分けるときの状態を示す部分切欠正面断面図。
【図４】本発明の一実施形態に係る篩器具を用いて、粉粒体を篩い分けるときの別の状態を示す部分切欠正面断面図。
【図５】本発明の他の実施形態に係る篩器具、及び該篩器具を備えた篩装置を示す斜視図。
【図６】篩網の撓みが防止された篩を示す下面図。
【符号の説明】
【００５３】
１…篩器具
２…枠状部材
２ａ…内周面
２ｂ…外周面
３…渦巻状部材
３ａ…一端
３ｂ…他端
４…把持部材
５…連結部材
１１…篩装置
１２…篩
１３…篩網
１３ａ…外周縁
１４…筒状部材
１４ａ…内周面
１４ｂ…上端
１４ｃ…下端
１４ｄ…環状突部
１５ａ，１５ｂ…環状リング
２１…容器
２１ａ…上端
２１ｂ…嘴部
３１…篩装置
３２…篩器具
３３…篩
３５…ブラシ
３６…筒状部材
３６ａ…内周面
３６ｂ…上端
３６ｃ…下端
３６ｄ…環状突部
３６ｅ…第１の側壁
３６ｆ…第２の側壁
４１…篩
４２…支持棒
【図１】
2008221137.tif 000003
【図２】
2008221137.tif 000004
【図３】
2008221137.tif 000005
【図４】
2008221137.tif 000006
【図５】
2008221137.tif 000007
【図６】
2008221137.tif 000008